(57)【要約】      （修正有）【課題】舌筋力測定装置を提供する。【解決手段】筐体１０３の外部に固定して取付けられた、上方に前歯及び上顎が固定される上顎支持部１０５と、上顎支持部の下方に配設された支持軸１０７に回転可能に取付けられ、一端１１１が筐体の外部に延在し、他端１１３が筐体の内部に収納される舌アーム部１０９と、舌アーム部の他端に取付けられた、筐体の一側面１０４から出る突起部１１５と、一端が筐体の一側面に配設された回転軸１１７に回転可能に取付けられ、他端１２３が複数の測定目盛り１２５が配設された近傍にある開口に沿って動くことによって、筐体の一側面に示される複数の測定目盛りの間を移動可能である、測定アーム部１１９と、を備え、舌アーム部の一端は、下方に付勢され、舌アーム部が付勢に抵抗して上方に動かされたとき、舌アーム部に取付けられた突起部が、測定アーム部に接触して、測定アーム部を回転できる。【選択図】図１
0003225763.tif 000002
【実用新案登録請求の範囲】
【請求項１】
筐体の外部に固定して取り付けられた、上方に前歯及び上顎が固定される上顎支持部と、
前記上顎支持部の下方に配設された支持軸に回転可能に取り付けられ、一端が前記筐体の外部に延在し、他端が前記筐体の内部に収納される舌アーム部と、
前記舌アーム部の前記他端に取り付けられた、前記筐体の一側面から出る突起部と、
一端が前記筐体の前記一側面に配設された回転軸に回転可能に取り付けられ、他端が前記筐体の前記一側面に示される測定目盛りを移動可能である、測定アーム部と、
を備え、
前記舌アーム部の前記一端は、下方に付勢され、
前記舌アーム部が付勢に抵抗して上方に動かされたとき、前記舌アーム部に取り付けられた突起部が、前記測定アーム部に接触して、前記測定アーム部を回転できる、舌筋力測定装置。
【請求項２】
前記筐体の内部に引っ張りコイルばねを備え、
前記引っ張りコイルばねと、前記舌アーム部の他端とが接続し、
前記引っ張りコイルばねにより、前記舌アーム部の前記一端を下方に付勢している、請求項１に記載の舌筋力測定装置。
【請求項３】
前記回転軸は、前記突起部に対して前記支持軸側に筐体に取り付けられている、請求項１または２に記載の舌筋力測定装置。
【請求項４】
前記舌アーム部の一端が付勢に抵抗して上方に動かされ、前記舌アーム部の一端が付勢により下方に戻されたとき、前記測定アーム部が前記突起部から離れ、測定アーム部の位置が移動しないことで、前記測定アーム部の前記他端が示す前記測定目盛りの値を正確に読み取れる請求項１乃至３のいずれか１項に記載の舌筋力測定装置。
【請求項５】
前記上顎支持部に前歯及び上顎を固定し、前記舌アーム部の前記一端の下方に舌を当て、前記舌を上方に動かすことで、前記舌アーム部の前記一端を上方に動かし、それにより前記舌アーム部の前記他端に取り付けられた前記突起部が下方に動かされ、前記突起部に接触した前記測定アーム部が下方に動かされ、前記測定アーム部の前記他端が示す前記測定目盛りの値により、舌筋力を測定する請求項１乃至４のいずれか１項に記載の舌筋力測定装置。
【考案の詳細な説明】
【技術分野】
【０００１】
本発明は、舌の筋力を測定する舌筋力測定装置に関する。
【背景技術】
【０００２】
従来、舌の筋力を鍛える装置が考案されてきた。特許文献１は、舌の筋力を鍛えるために、上顎前歯固定部に上顎前歯を固定し、舌背当接部に舌を当てて下方から付勢力に抗して舌を上げる動作を行う考案がなされた。
【先行技術文献】
【特許文献】
【０００３】
【特許文献１】実用新案登録第３１９６１８９号公報
【考案の概要】
【考案が解決しようとする課題】
【０００４】
しかしながら、この舌を上げる筋力を測定する装置がなかった。舌の筋力が弱っていることを示す基準がなく、舌の筋力を鍛えてもどの程度鍛えられたのかわからなかった。そこで、本考案は、舌の筋力を測定する装置を提供し、舌の筋力の基準を提供できる装置を提供することを目的とする。
【課題を解決するための手段】
【０００５】
本考案の舌筋力測定装置は、
筐体の外部に固定して取り付けられた、上方に前歯及び上顎が固定される上顎支持部と、
前記上顎支持部の下方に配設された支持軸に回転可能に取り付けられ、一端が前記筐体の外部に延在し、他端が前記筐体の内部に収納される舌アーム部と、
前記舌アーム部の前記他端に取り付けられた、前記筐体の一側面から出る突起部と、
一端が前記筐体の前記一側面に配設された回転軸に回転可能に取り付けられ、他端が前記筐体の前記一側面に示される測定目盛りを移動可能である、測定アーム部と、
を備え、
前記舌アーム部の前記一端は、下方に付勢され、
前記舌アーム部が付勢に抵抗して上方に動かされたとき、前記舌アーム部に取り付けられた突起部が、前記測定アーム部に接触して、前記測定アーム部を回転できる、ことを特徴とする。
【考案の効果】
【０００６】
測定アーム部が、測定メモリの間を移動可能であることにより、ばねに抗した舌の筋力を測定することができる。
【図面の簡単な説明】
【０００７】
【図１】本考案の実施形態に係る舌筋力測定装置の概略側面図である。
【図２】本考案の実施形態に係る舌筋力測定装置の概略上面図である。
【図３】図２の概略Ａ−Ａ断面図である。
【考案を実施するための形態】
【０００８】
以下、本考案を実施するための様々な実施の形態を、図面を参照して説明する。要点の説明または理解の容易性を考慮して、異なる図面で便宜上符号を同一にして示す。
【０００９】
（舌筋力測定装置の概要）
図１は、本考案の実施形態に係る舌筋力測定装置の概略側面図である。図１を参照して本発明の舌筋力測定装置の概要を説明する。
【００１０】
図１を参照しながら、舌筋力測定装置１０１は、筐体１０３と上顎支持部１０５を備える。筐体１０３は、一側面１０４を備える直方体に近い形で、人間工学的に握りやすい形状がよい。一側面１０４とは、本明細書では以後、筐体１０３の立体形状におけるある一つの側面を表す。筐体１０３は、一側面を備えれば、曲線を組み合わせた様々な形状をとることができる。
【００１１】
上または上方とは、基準のものより高い所を指し、下または下方とは基準のものより低い所を指す。したがって、人間は、上方の上顎と、下方の下顎の２つの顎を有する。ここで、舌筋力測定装置の上方とは、人の口に当てて使用するときに上顎を向く方を指し、舌筋力測定装置の下方とは、人の口に当てて使用するときに下顎を向く方を指す。
【００１２】
上顎支持部１０５は、筐体１０３の一側面１０４の延長上に固定される。筐体１０３は、一側面１０４と垂直な断面に第１の開口１０８を有する。第１の開口１０８は、上顎支持部１０５に上顎前歯が固定されたとき、人間の口と正面を向くように形成されることが好ましい。
【００１３】
上顎支持部１０５の下方には、支持軸１０７が固定して配設される。支持軸１０７の周りを回転可能に舌アーム部１０９が、取り付けられる。
【００１４】
舌アーム部１０９は、筐体の第１の開口１０８を通って、一端１１１が、筐体１０３の外部に延在し、他端１１３が筐体１０３の内部に収納される。舌アーム部１０９は、一端１１１が下方に向けて付勢されている。すなわち舌アーム部１０９の他端１１３は、支持軸１０７を中心にしたてこの作用で上方に付勢されている。
【００１５】
舌アーム部１０９の他端１１３には、筐体１０３の一側面１０４から突き出る突起部１１５が取り付けられる。突起部１１５は、筐体１０３の一側面１０４に設けられた第２の開口１１６から突き出て、移動可能に配設されている。
【００１６】
また、筐体１０３の一側面に、測定アーム部１１９が取り付けられる。測定アーム部１１９は、一端１２１が、筐体１０３の一側面１０４に配設された回転軸１１７に取り付けられている。測定アーム部１１９の一端１２１は、回転軸１１７と摩擦による一定の抵抗を生ずる。
【００１７】
また、測定アーム部１１９の他端１２３は、筐体１０３の一側面に示される測定目盛り１２５の間を移動可能である。測定目盛り１２５は、筐体１０３の第３の開口１２４付近に配設される。第３の開口１２４は、測定アーム部１１９の他端１２３が差し込まれ、摩擦により一定の抵抗を生ずる。
【００１８】
舌アーム部１０９は、下方への付勢に抵抗して上方に動かされたとき、舌アーム部１０９に取り付けられた突起部１１５が、測定アーム部１１９に接触して、測定アーム部１１９を回転軸１１７の周りに回転できる。
【００１９】
このようにすることで、測定アーム部１１９が指す目盛りを読み取ることにより、舌の筋力を測定できる。
【００２０】
ここでは、測定アーム部１１９の一端１２１が突起部１１５に対して支持軸側に設けられる例を示したが、測定アーム部の一端１２１が突起部１１５に対して、支持軸１０７から遠くに設けられてもよい。この場合、測定アーム部１１９の他端１２３及び測定目盛り１２５は、突起部１１５に対して、支持軸１０７の近くに設けられる。
【００２１】
舌筋力測定装置の内部構造）
図２は、本考案の実施形態に係る舌筋力測定装置の概略上面図である。図３は、本考案の実施形態に係る舌筋力測定装置の概略断面図である。図２及び図３を参照しながら、本考案の実施形態に係る舌筋力測定装置の内部構造を説明する。
【００２２】
図２に示すように、筐体１０３の外部に上顎支持部１０５が固定される。上顎支持部１０５は、舌アーム部１０９が取り付けられる。舌アーム部１０９の一端１１１は、筐体の外部に回転可能に取り付けられている。舌アーム部１０９の他端１１３は、筐体１０３内に組み込まれている。
【００２３】
図３に示すように、舌アーム部１０９は、他端１１３で引っ張りコイルばね１２７の一端と接続されている。引っ張りコイルばね１２７の他端は、筐体の一部１２９と接続されている。引っ張りコイルばね１２７により、舌アーム部１０９の他端１１３は上方に付勢されている。
【００２４】
すなわち、支持軸１０７を中心としたてこの作用により、舌アーム部１０９の一端１１１は、下方に付勢されている。ここでは、引っ張りコイルばね１２７で付勢される例を示したが、ねじりコイルばねなどその他のばねを用いてもよい。
【００２５】
（舌筋力測定装置の駆動方法）
図１乃至３を参照しながら、本考案の舌筋力測定装置の駆動方法について説明する。
【００２６】
舌アーム部１０９は、引っ張りコイルばね１２７により、一端１１１が下方に付勢されている。この下方への付勢に抵抗して上方に動かされたとき、動かされた長さに比例する舌筋力を示す。舌アーム部１０９の一端が１１１付勢により下方に戻されたとき、測定アーム部１１９は、突起部１１５から離れる。
【００２７】
測定アーム部１１９は、回転軸１１７の摩擦による抵抗によりその場から移動しないよう位置を固定されている。また、測定アーム部は、他端１２３と測定目盛り１２５の摩擦による抵抗により、その場から移動しないよう位置を固定されている。このようにして、測定アーム部１１９の他端１２３が示す測定目盛り１２５の値を正確に読み取ることで舌筋力の最大値を測定することができる。
【００２８】
このように、上顎支持部１０５に前歯及び上顎を固定し、舌アーム部１０９の一端１１１の下方に舌を当て、舌を上方に動かすことで、舌アーム部１０９の一端１１１を上方に動かす。それにより舌アーム部１０９の他端１１３に取り付けられた突起部１１５が下方に動かされ、突起部１１５に接触した測定アーム部１１９が下方に動かされる。測定アーム部１１９が、突起部１１５から離れることにより、測定アーム部１１９の他端１２３が示す測定目盛り１２５の値を読み取り、舌筋力を測定できる。
【００２９】
本考案により、舌の筋力を測定することができる。また、本考案は、付勢に、引っ張りコイルばねまたはその他のばねを用いる。また、本考案は、舌の筋力の最大値を測定できる。
【００３０】
上述の実施形態の説明は、すべての点で例示であって、制限的なものではない。当業者にとって変形および変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【産業上の利用可能性】
【００３１】
本考案は、舌筋力の測定に利用できる。
【符号の説明】
【００３２】
１０１  舌筋力測定装置
１０３  筐体
１０４  一側面
１０５  上顎支持部
１０７  支持軸
１０８  第１の開口
１０９  舌アーム部
１１１  一端
１１３  他端
１１５  突起部
１１６  第２の開口
１１７  回転軸
１１９  測定アーム部
１２１  一端
１２３  他端
１２４  第３の開口
１２５  測定目盛り
１２７  引っ張りコイルばね
１２９  筐体の一部
【図１】
0003225763.tif 000003
【図２】
0003225763.tif 000004
【図３】
0003225763.tif 000005
【手続補正書】
【提出日】令和2年1月30日(2020.1.30)
【手続補正１】
【補正対象書類名】実用新案登録請求の範囲
【補正対象項目名】全文
【補正方法】変更
【補正の内容】
【実用新案登録請求の範囲】
【請求項１】
筐体の外部に固定して取り付けられた、上方に前歯及び上顎が固定される上顎支持部と、
前記上顎支持部の下方に配設された支持軸に回転可能に取り付けられ、一端が前記筐体の外部に延在し、他端が前記筐体の内部に収納される舌アーム部と、
前記舌アーム部の前記他端に取り付けられた、前記筐体の一側面から出る突起部と、
一端が前記筐体の前記一側面に配設された回転軸に回転可能に取り付けられ、他端が複数の測定目盛りが配設された近傍にある開口に沿って動くことによって、前記筐体の前記一側面に示される前記複数の測定目盛りの間を移動可能である、測定アーム部と、
を備え、
前記舌アーム部の前記一端は、下方に付勢され、
前記舌アーム部が付勢に抵抗して上方に動かされたとき、前記舌アーム部に取り付けられた突起部が、前記測定アーム部に接触して、前記測定アーム部を回転できる、舌筋力測定装置。
【請求項２】
前記筐体の内部に引っ張りコイルばねを備え、
前記引っ張りコイルばねと、前記舌アーム部の他端とが接続し、
前記引っ張りコイルばねにより、前記舌アーム部の前記一端を下方に付勢している、請求項１に記載の舌筋力測定装置。
【請求項３】
前記回転軸は、前記突起部に対して前記支持軸側に筐体に取り付けられている、請求項１または２に記載の舌筋力測定装置。
【請求項４】
前記舌アーム部の一端が付勢に抵抗して上方に動かされ、前記舌アーム部の一端が付勢により下方に戻されたとき、前記測定アーム部が前記突起部から離れ、測定アーム部の位置が移動しないことで、前記測定アーム部の前記他端が示す前記測定目盛りの値を正確に読み取れる請求項１乃至３のいずれか１項に記載の舌筋力測定装置。
【請求項５】
前記上顎支持部に前歯及び上顎を固定し、前記舌アーム部の前記一端の下方に舌を当て、前記舌を上方に動かすことで、前記舌アーム部の前記一端を上方に動かし、それにより前記舌アーム部の前記他端に取り付けられた前記突起部が下方に動かされ、前記突起部に接触した前記測定アーム部が下方に動かされ、前記測定アーム部の前記他端が示す前記測定目盛りの値により、舌筋力を測定する請求項１乃至４のいずれか１項に記載の舌筋力測定装置。